(57)【要約】【課題】表示部が双方向３６０度回転可能な操作性に優れた特性を持つパーソナルコンピュータを提供することを目的とする。【解決手段】表示部１１と本体部１２においてそれぞれの電源部を別々に構成し、その表示部と本体部の間の信号をワイヤレスに通信することで、回転軸１３内部を有線信号が通過しない構造とすることができる。これにより、回転軸１３内部の信号線に制限されること無く、表示部１１が双方向３６０度回転可能となり、操作性を向上させる。【選択図】図１
2007213368.tif 000002
【特許請求の範囲】
【請求項１】
表示部と本体部が回転軸で接続され、前記表示部が前記回転軸を中心として双方向３６０度回転可能な情報処理装置であって、
前記表示部と前記本体部を接続する信号をワイヤレス信号化し、
且つ前記表示部と前記本体部とはそれぞれ別々の専用の電源部を有することを特徴とする情報処理装置。
【請求項２】
前記表示部と前記本体部を接続するワイヤレス化する信号は、
液晶（ＬＣＤ）表示信号、陰極線管バックライト用のインバータＰＷＭ信号、タッチスクリーン信号とした請求項１記載の情報処理装置。
【請求項３】
前記表示部と前記本体部を接続するワイヤレス化する信号は、
液晶（ＬＣＤ）表示信号、ＬＥＤバックライトによるＬＥＤ制御信号、タッチスクリーン信号とした請求項１記載の情報処理装置。
【発明の詳細な説明】
【技術分野】
【０００１】
本発明はパーソナルコンピュータ等に用いられる表示装置に関するものである。
【背景技術】
【０００２】
近年、急速にパーソナルコンピュータが普及しており、現在では家庭、オフィスでの使用、あるいは屋外にノートパソコンを携帯しての利用などが増加しており、これらの機器における使用方法も様々である。
【０００３】
従来のパーソナルコンピュータには表示部と本体部が一体となったものもあり、表示部の視野角度、操作などが限定されてしまう。
【０００４】
また、従来の回転可能な表示部においては特許文献１および特許文献２に記載されているものが知られている。
【０００５】
その表示部を図４および図５に示す。
【０００６】
図４および図５において、４１，５１は表示部、４２，５２は本体部、４３，５３は表示部の回転軸であり、この軸を中心として表示部４１，５１が回転する。
【特許文献１】特開平６−２５０１５６号公報
【特許文献２】特開平１１−１３４０６２号公報
【発明の開示】
【発明が解決しようとする課題】
【０００７】
しかしながら上記の従来の構成では、回転軸４３，５３内部に表示部４１，５１と本体部４２，５２を接続する信号線や陰極線管バックライトインバータおよびＬＣＤ等の電源線があるため、表示部の回転角度に制限ができてしまうという問題を有していた。
【０００８】
本発明は上記従来の問題点を解決するもので、表示部と本体部の信号をワイヤレス化し、表示部の電源をＬＣＤ側に別電源として配置することで、３６０度回転可能な表示部を備えたパーソナルコンピュータを提供することを目的とする。
【課題を解決するための手段】
【０００９】
上記課題を解決するために本発明は
表示部と本体部が回転軸で接続され、前記表示部が前記回転軸を中心として双方向３６０度回転可能な情報処理装置であって、前記表示部と前記本体部を接続する信号をワイヤレス信号化し、且つ前記表示部と前記本体部とはそれぞれ別々の専用の電源部を有することを特徴とする情報処理装置としたものであり、表示装置の視野角および操作性の向上といった作用を有する。
【発明の効果】
【００１０】
以上のように表示部と本体部の信号をワイヤレス化し、表示部の電源をＬＣＤ側別に電源として配置することで、回転軸部の制限が緩和され、回転角度および方向にとらわれることなく操作をすることができるという優れた効果が得られる。
【発明を実施するための最良の形態】
【００１１】
以下、本発明の実施の形態について、図１および図２を用いて説明する。
【００１２】
（実施の形態１）
図１は実施の形態１における３６０度双方向回転可能なパーソナルコンピュータの表示装置の図である。
【００１３】
図２は実施の形態１における表示部と本体部の信号のワイヤレス化を説明するための図である。
【００１４】
図１に示されたパーソナルコンピュータは、表示部１１と本体部１２が回転軸１３で接続されており、表示部１１が回転軸１３を中心として双方向に３６０度回転可能に取り付けられている。
【００１５】
図２において、１４は本体部電源、１５は液晶（ＬＣＤ）表示信号、１６は陰極線管バックライト用のインバータＰＷＭ信号、１７はタッチスクリーン信号、１９はＬＣＤ表示信号１５、陰極線管バックライト用のインバータＰＷＭ信号１６、タッチスクリーン信号１７の信号を送信する送信回路、２０はその送信アンテナである。また、１８は表示部電源、２１は受信アンテナ、２２は受信回路部、２３はＬＣＤパネルを含むＬＣＤ表示回路部である。
【００１６】
以上ように構成された表示部１１が３６０度回転可能なパーソナルコンピュータについて図１および図２を用いてその動作を説明する。
【００１７】
送信回路で生成された各信号（ＬＣＤ表示信号１５、陰極線管バックライト用のインバータＰＷＭ信号１６、タッチスクリーン信号１７）を、送信アンテナ２０を介してワイヤレスで送信され、これらの信号を表示部１１側のアンテナ２１で受信し、受信回路部２２で各信号を復調、分離し、ＬＣＤ表示回路部２３により画像表示する。
【００１８】
また、表示部電源１８は、本体電源部１４とは別電源とすることで太くかさばる電源線を省くことができる。
【００１９】
以上のように本実施の形態によれば、表示部と本体部の信号をワイヤレス化し、表示部の電源をＬＣＤ側別に電源として配置することで、回転軸部の制限が緩和され、回転角度および方向にとらわれることなく操作をすることができる。
【００２０】
なお、本実施の形態ではＬＣＤのバックライトとして蛍光管を代表とする陰極線管によるバックライト用を例にとって説明したが、近年は高輝度の発光ダイオード（ＬＥＤ）が開発されており、図２の陰極線管バックライト用のインバータＰＷＭ信号１６に代えて、図３のようにＬＥＤバックライトによるＬＥＤ制御信号２４としてもよい。
【産業上の利用可能性】
【００２１】
本発明にかかる３６０度双方向回転可能な表示部を搭載した情報処理装置は、液晶部を回転角度および方向にとらわれることなく操作をすることができるので、パーソナルコンピュータ等の角度に自由度を必要とする表示部として有用である。
【図面の簡単な説明】
【００２２】
【図１】実施の形態１における３６０度双方向回転可能な表示装置の図
【図２】実施の形態１における表示部と本体部の信号のワイヤレス化を説明のための図
【図３】実施の形態２における表示部にＬＥＤバックライトを用いた場合の表示部と本体部の信号のワイヤレス化を説明するための図
【図４】従来の表示部が回転可能な情報処理装置の図
【図５】従来の表示部が回転可能な情報処理装置の図
【符号の説明】
【００２３】
１１、４１，５１  表示部
１２、４２，５２  本体部
１３、４３，５３  回転軸部
１４  本体部電源
１５  液晶（ＬＣＤ）信号
１６  陰極線管バックライト用のインバータＰＷＭ信号
１７  タッチスクリーン信号
１８  表示部電源
１９  送信回路部
２０  送信アンテナ
２１  受信アンテナ
２２  受信回路部
２３  ＬＣＤ表示回路部
２４  ＬＥＤ制御信号
【図１】
2007213368.tif 000003
【図２】
2007213368.tif 000004
【図３】
2007213368.tif 000005
【図４】
2007213368.tif 000006
【図５】
2007213368.tif 000007